(57)【要約】【課題】接続対象を挿入する際の機械ストレスを軽減したワイピングソケットを提供すること。【解決手段】所定方向における第１の向きＡ１に挿入される基板エッジ部７を接続するためのソケットであって、所定方向に可動な導電性のコンタクト１とこのコンタクトを第１の向きとは反対の第２の向きＡ２に付勢するスプリング４とをハウジング６に備える。コンタクトは基板エッジ部に接触するための所定方向に配列された複数の接点部１ａ，１ｂ，１ｃを有する。【選択図】図１
2009199859.tif 000002
【特許請求の範囲】
【請求項１】
接続対象に接触するための複数の接点を有する導電性のコンタクトを含み、前記コンタクトは前記接続対象に対し遊動ワイピング動作する、ことを特徴とするワイピングソケット。
【請求項２】
前記接続対象の接続圧により作動し前記コンタクトを遊動させる遊動機構を含む、請求項１に記載のワイピングソケット。
【請求項３】
前記遊動機構は前記コンタクトに復帰力を与えるスプリングを含む、請求項２に記載のワイピングソケット。
【請求項４】
所定方向における第１の向きに挿入される接続対象を接続するためのワイピングソケットであって、ハウジングと、前記ハウジングに対し前記所定方向に可動な導電性のコンタクトと、前記コンタクトを前記第１の向きとは反対の第２の向きに付勢する弾性部材とを含み、前記コンタクトは前記接続対象に接触するための前記所定方向に配列された複数の接点部を有する、ことを特徴とするワイピングソケット。
【請求項５】
前記所定方向における前記コンタクトの可動範囲を規定するストッパー手段を含む、請求項４に記載のワイピングソケット。
【請求項６】
前記ストッパー手段は前記ハウジングと前記コンタクトとの間に備えられている、請求項５に記載のワイピングソケット。
【請求項７】
前記ストッパー手段は、前記コンタクトに設けられたストッパーと、前記ハウジングに設けられ前記ストッパーに前記所定方向で対向した壁面とを含む、請求項６に記載のワイピングソケット。
【請求項８】
前記ハウジングに固定された導電性のリードをさらに含み、前記コンタクトは前記リードに対し前記所定方向で摺動するコンタクト端を有する、請求項４から７のいずれかに記載のワイピングソケット。
【請求項９】
前記ハウジングに固定された導電性のスプリングプローブをさらに含み、前記スプリングプローブは前記第２の向きに付勢された可動なプローブ端を有し、前記コンタクトは前記第１の向きで前記プローブ端に対向している、請求項４から７のいずれかに記載のワイピングソケット。
【請求項１０】
前記弾性部材は前記ハウジングと前記コンタクトとの間に前記所定方向で介在したスプリングを含む、請求項４から７のいずれかに記載のワイピングソケット。
【請求項１１】
前記弾性部材は前記ハウジングに固定されたスプリングプローブを含み、前記スプリングプローブは前記第２の向きに付勢された可動なプローブ端を有し、前記コンタクトは前記第１の向きで前記プローブ端に対向している、請求項４から７のいずれかに記載のワイピングソケット。
【発明の詳細な説明】
【技術分野】
【０００１】
本発明は、コネクタに関し、特に、接続に際し接続対象に摺動するコンタクトを備えたソケット（これを、「ワイピングソケット」と呼ぶ）に関する。
【背景技術】
【０００２】
特許文献１及び特許文献２は、この種のソケットとしてのコネクタを開示している。それらのコネクタはいずれも、コネクタ本体又はハウジングとこれに固定された導電性のコンタクトとを含んでいる。接続対象は所定方向でコネクタに挿入され。コネクタに挿入される際に、接続対象はコンタクトに摺接するので、所謂ワイピング作用が得られる。
【０００３】
しかし、特許文献１及び特許文献２に開示されたコネクタでは、コンタクトがコネクタ本体又はハウジングに固定されているため、接続対象を挿入する際に機械ストレスによりコンタクトの変形や破損が発生することが懸念される。特に、接続完了状態ではコンタクトと対象部材との接触は所定方向においては一箇所のみであるため、コンタクトの変形や破損が発生すると接触不良を起こす虞があり、接続の信頼性に欠ける。
【０００４】
【特許文献１】特開平０９−１４８００９号公報
【特許文献２】特開平１０−３３５０２０号公報
【発明の開示】
【発明が解決しようとする課題】
【０００５】
それ故に本発明の課題は、接続対象を挿入する際の機械ストレスを軽減したワイピングソケットを提供することにある。
【課題を解決するための手段】
【０００６】
本発明の一態様によれば、接続対象に接触するための複数の接点を有する導電性のコンタクトを含み、前記コンタクトは前記接続対象に対し遊動ワイピング動作する、ことを特徴とするワイピングソケットが得られる。
【０００７】
前記接続対象の接続圧により作動し前記コンタクトを遊動させる遊動機構を含んでもよい。
【０００８】
前記遊動機構は前記コンタクトに復帰力を与えるスプリングを含んでもよい。
【０００９】
本発明の他の態様によれば、所定方向における第１の向きに挿入される接続対象を接続するためのワイピングソケットであって、ハウジングと、前記ハウジングに対し前記所定方向に可動な導電性のコンタクトと、前記コンタクトを前記第１の向きとは反対の第２の向きに付勢する弾性部材とを含み、前記コンタクトは前記接続対象に接触するための前記所定方向に配列された複数の接点部を有する、ことを特徴とするワイピングソケットが得られる。
【００１０】
前記所定方向における前記コンタクトの可動範囲を規定するストッパー手段を含んでもよい。
【００１１】
前記ストッパー手段は前記ハウジングと前記コンタクトとの間に備えられてもよい。
【００１２】
前記ストッパー手段は、前記コンタクトに設けられたストッパーと、前記ハウジングに設けられ前記ストッパーに前記所定方向で対向した壁面とを含んでもよい。
【００１３】
前記ハウジングに固定された導電性のリードをさらに含み、前記コンタクトは前記リードに対し前記所定方向で摺動するコンタクト端を有してもよい。
【００１４】
前記ハウジングに固定されたスプリングプローブをさらに含み、前記スプリングプローブは前記第２の向きに付勢された可動なプローブ端を有し、前記コンタクトは前記第１の向きで前記プローブ端に対向していてもよい。
【００１５】
前記弾性部材は前記ハウジングと前記コンタクトとの間に前記所定方向で介在したスプリングを含んでもよい。
【００１６】
前記弾性部材は前記ハウジングに固定された導電性のスプリングプローブを含み、前記スプリングプローブは前記第２の向きに付勢された可動なプローブ端を有し、前記コンタクトは前記第１の向きで前記プローブ端に対向していてもよい。
【発明の効果】
【００１７】
本発明の上述した態様によると、接続対象を挿入する際の機械ストレスを軽減したワイピングソケットを提供することができる。
【発明を実施するための最良の形態】
【００１８】
まず図１を参照して、本発明の第１の実施形態に係るワイピングソケットの構造について説明する。
【００１９】
図１に示すワイピングソケット１０は、接続対象としてプリント基板を接続するための所謂カードエッジコネクタである。プリント基板の基板エッジ部７は、その両面にエッジ部電極７ａを備え、ワイピングソケット１０に対し所定方向における第１の向きＡ１に挿入される。
【００２０】
ワイピングソケット１０は絶縁性のハウジング６を含んでいる。ハウジング６には、前記所定方向に可動な導電性のコンタクト１と、コンタクト１を第１の向きＡ１とは反対の第２の向きＡ２に付勢する弾性部材としてのスプリング４と、第１の向きＡ１においてハウジング６から外部に延出した導電性のリード５とが保持されている。
【００２１】
ハウジング６はコンタクト１をスライド可能に保持している。コンタクト１は、二股に分かれてソケット形状をなす対向片を有している。対向片は弾性を有し、ハウジング６内に所定方向に対し直交する方向で可動なように配置されている。コンタクト１の対向片の各々には、エッジ部電極７ａに電気的に接触するための前記所定方向に配列された複数の凸形の接点部１ａ，１ｂ，１ｃが形成されている。コンタクト１の第１の向きＡ１における端部即ちコンタクト端１ｄは直線的に形成されている。
【００２２】
ハウジング６とコンタクト１との間には、前記所定方向におけるコンタクト１の可動範囲を規定するストッパー手段が備えられている。ストッパー手段は、コンタクトに所定方向で互いに離間して設けられた第１及び第２のストッパー２，３と、ハウジング６に設けられストッパー２，３間に位置した第１及び第２の壁面６ａ，６ｂとを含んでいる。第１及び第２のストッパー２，３間の距離は第１及び第２の壁面６ａ，６ｂ間の距離よりも大きく設定され、したがって、コンタクト１の移動は、第１のストッパー２が第１の壁面６ａに当接する第１の位置と、第２のストッパー３が第２の壁面６ａに当接する第２の位置との間のみに制限されている。
【００２３】
スプリング４は、第２のストッパー２とハウジング６との間に介装され、コンタクト１を第２の向きＡ２に付勢するように作用する。したがって、基板エッジ部７を挿入する時の押勢圧がスプリング４によって緩和される。なお、スプリング４として、圧縮コイルスプリング又はその他のスプリングを用いることができる。
【００２４】
リード５は、ハウジング６の内部に位置するリードコンタクト５ａと、ハウジング６に係止されたリード爪５ｂとを有している。リード爪５ｂがハウジング６に係止されることで、リード５はハウジング６に固定される。また、リード５のリードコンタクト５ａに対し、コンタクト１のコンタクト端１ｄが電気的に接触している。したがって、コンタクト１が第１の向きＡ１又は第２の向きＡ２に移動する際に、コンタクト１のコンタクト端１ｄはリード５のリードコンタクト５ａに沿ってスライドする。
【００２５】
図２ａ〜図２ｄを参照して、上述したワイピングソケット１０の作用について説明する。なお、図２ａ及び図２ｂは図示の都合で略下半分を省略している。
【００２６】
初動を示す図２ａに示すように基板エッジ部７が接続圧によりハウジング６の内部に挿入されると、エッジ部電極７ａがコンタクト１の接点部１ａに先ず接触する。さらに、基板エッジ部７の挿入が進行すると、基板エッジ部７による初期の押勢力により、コンタクト１は、スプリング４を付勢つまり圧縮させつつ、第１の向きＡ１に移動させられる。この間、コンタクト１のコンタクト端１ｄはリード５のリードコンタクト５ａに沿ってスライドする。したがって、挿入初期のコンタクト１の機械負荷は低減される。このときのコンタクト１の移動は、第１のストッパー２が第１の壁面６ａに当接するまで続く。
【００２７】
図２ｂに示すように第１のストッパー２が第１の壁面６ａに当接すると、コンタクト１の移動が阻止される。これ以後は、基板エッジ部７の挿入の進行につれて、エッジ部電極７ａがコンタクト１の接点部１ａにスライドしつつ、図２ｃに示すように接点部１ｂ及び１ｃに順次接触し規定の位置に至る。このとき、エッジ部電極７ａがコンタクト１の複数の接点部１ａ，１ｂ，１ｃにスライドするので、好ましいワイピング作用が得られる。
【００２８】
プリント基板を離脱させるときには、図２ｄに示すように基板エッジ部７に第２の向きＡ２の引抜力を加える。すると、コンタクト１はスプリング４の伸長を伴って第２のストッパー３が第２の壁面６ｂに当接するまで移動する。この間、コンタクト１のコンタクト端１ｄはリード５のリードコンタクト５ａに沿ってスライドする。第２のストッパー３が第２の壁面６ｂに当接すると、コンタクト１の移動が阻止される。これ以後は、基板エッジ部７の離脱の進行につれて、エッジ部電極７ａがコンタクト１の接点部１ａ，１ｂ，１ｃにスライドする。このときも、エッジ部電極７ａがコンタクト１の複数の接点部１ａ，１ｂ，１ｃにスライドするので、好ましいワイピング作用が得られる。
【００２９】
上述したプリント基板の挿入時及び引抜時のワイピング作用はいずれも、コンタクト１の所定方向での移動を伴って行われるので、ここでは遊動ワイピングとも呼ぶ。また、プリント基板の挿入時及び引抜時にコンタクト１を移動させる機構をここでは遊動機構と呼ぶ。
【００３０】
次に図３を参照して、本発明の第２の実施形態に係るワイピングソケットの構造について説明する。なお、同様な部分については同じ参照符号を付して説明を省略する。
【００３１】
図３に示すワイピングソケット２０も、接続対象としてプリント基板を接続するための所謂カードエッジコネクタである。図１におけるワイピングソケット１０のリード５の代わりに導電性のスプリングプローブ８を用いている。
【００３２】
スプリングプローブ８は、ハウジング６に固定保持され、内部機構（図示せず）により第２の向きＡ２に付勢された可動なプローブ端８ａを有している。コンタクト１のリード端１ｄは第１の向きＡ１でプローブ端８ａに対向若しくは当接している。スプリングプローブ８を用いているので、このワイピングソケット２０は、面実装方式に容易に対処可能である。
【００３３】
図４ａ及び図４ｂを参照して、上述したワイピングソケット２０の作用について説明する。なお、図４ａ及び図４ｂは図示の都合で略下半分を省略している。
【００３４】
初動を示す図４ａに示すように基板エッジ部７が接続圧によりハウジング６の内部に挿入されると、エッジ部電極７ａがコンタクト１の接点部１ａに先ず接触する。さらに、基板エッジ部７の挿入が進行すると、基板エッジ部７による初期の押勢力により、コンタクト１は、スプリング４を付勢つまり圧縮させつつ、第１の向きＡ１に移動させられる。この間、コンタクト１のコンタクト端１ｄはスプリングプローブ８のプローブ端８ａを第１の向きＡ１に押圧移動させる。したがって、挿入初期のコンタクト１の機械負荷は低減される。このときのコンタクト１の移動は、第１のストッパー２が第１の壁面６ａに当接するまで続く。
【００３５】
図４ｂに示すように第１のストッパー２が第１の壁面６ａに当接すると、コンタクト１の移動が阻止される。これ以後は、基板エッジ部７の挿入の進行につれて、エッジ部電極７ａがコンタクト１の接点部１ａにスライドしつつ、接点部１ｂ及び１ｃに順次接触し規定の位置に至る。このとき、エッジ部電極７ａがコンタクト１の複数の接点部１ａ，１ｂ，１ｃにスライドするので、好ましいワイピング作用が得られる。
【００３６】
プリント基板を離脱させるときには、基板エッジ部７に第２の向きＡ２の引抜力を加える。すると、コンタクト１はスプリング４の伸長を伴って第２のストッパー３が第２の壁面６ｂに当接するまで移動する。コンタクト１のコンタクト端１ｄの移動にしたがって、スプリングプローブ８のプローブ端８ａも第２の向きＡ２に移動する。第２のストッパー３が第２の壁面６ｂに当接すると、コンタクト１の移動が阻止される。これ以後は、基板エッジ部７の離脱の進行につれて、エッジ部電極７ａがコンタクト１の接点部１ａ，１ｂ，１ｃにスライドする。このときも、エッジ部電極７ａがコンタクト１の複数の接点部１ａ，１ｂ，１ｃにスライドするので、好ましいワイピング作用が得られる。
【００３７】
次に図５を参照して、本発明の第３の実施形態に係るワイピングソケットの構造について説明する。なお、同様な部分については同じ参照符号を付して説明を省略する。
【００３８】
図５に示すワイピングソケット３０も、接続対象としてプリント基板を接続するための所謂カードエッジコネクタである。図１におけるワイピングソケット１０のスプリング４及びリード５の代わりに、導電性のスプリングプローブ８を用いている。また、図１におけるワイピングソケット１０の第２の壁面６ｂの代わりに、第１のストッパー２の第２の向きＡ２への移動を阻止する付加壁面６ｃをハウジング６に設けている。この場合、第２のストッパー３は不要である。
【００３９】
スプリングプローブ８は、ハウジング６に固定保持され、内部機構（図示せず）により第２の向きＡ２に付勢された可動なプローブ端８ａを有している。コンタクト１のリード端１ｄは第１の向きＡ１でプローブ端８ａに対向若しくは当接している。スプリングプローブ８が、コンタクト１を第２の向きＡ２に付勢する弾性部材としての役目も果たす。スプリングプローブ８を用いているので、このワイピングソケット２０も、面実装方式に容易に対処可能である。
【００４０】
図６ａ及び図６ｂを参照して、上述したワイピングソケット３０の作用について説明する。なお、図６ａ及び図６ｂは図示の都合で略下半分を省略している。
【００４１】
初動を示す図６ａに示すように基板エッジ部７が接続圧によりハウジング６の内部に挿入されると、エッジ部電極７ａがコンタクト１の接点部１ａに先ず接触する。さらに、基板エッジ部７の挿入が進行すると、基板エッジ部７による初期の押勢力により、コンタクト１は第１の向きＡ１に移動させられる。この間、コンタクト１のコンタクト端１ｄはスプリングプローブ８のプローブ端８ａを第１の向きＡ１に押圧移動させる。したがって、挿入初期のコンタクト１の機械負荷は低減される。このときのコンタクト１の移動は、第１のストッパー２が第１の壁面６ａに当接するまで続く。
【００４２】
図６ｂに示すように第１のストッパー２が第１の壁面６ａに当接すると、コンタクト１の移動が阻止される。これ以後は、基板エッジ部７の挿入の進行につれて、エッジ部電極７ａがコンタクト１の接点部１ａにスライドしつつ、接点部１ｂ及び１ｃに順次接触し規定の位置に至る。このとき、エッジ部電極７ａがコンタクト１の複数の接点部１ａ，１ｂ，１ｃにスライドするので、好ましいワイピング作用が得られる。
【００４３】
プリント基板を離脱させるときには、基板エッジ部７に第２の向きＡ２の引抜力を加える。すると、コンタクト１は第１のストッパー２が付加壁面６ｃに当接するまで移動する。コンタクト１のコンタクト端１ｄの移動にしたがって、スプリングプローブ８のプローブ端８ａも第２の向きＡ２に移動する。第１のストッパー２が付加壁面６ｃに当接すると、コンタクト１の移動が阻止される。これ以後は、基板エッジ部７の離脱の進行につれて、エッジ部電極７ａがコンタクト１の接点部１ａ，１ｂ，１ｃにスライドする。このときも、エッジ部電極７ａがコンタクト１の複数の接点部１ａ，１ｂ，１ｃにスライドするので、好ましいワイピング作用が得られる。
【００４４】
上述では幾つかの実施形態を用いて説明したが、様々な変形が可能であることは言うまでもない。例えば、ストッパー手段は他の構造でも実施できるし、またスプリングの代わりに他の付勢手段を用いることもできる。
【図面の簡単な説明】
【００４５】
【図１】本発明の第１の実施形態に係るワイピングソケットを接続対象と共に示した断面図である。
【図２ａ】図１のワイピングソケットに接続対象を挿入する初動を説明するための上半分のみの断面図である。
【図２ｂ】図１のワイピングソケットへの接続対象の挿入の進行を説明するための上半分のみの断面図である。
【図２ｃ】図１のワイピングソケットへの接続対象の挿入が完了した状態を示す断面図である。
【図２ｄ】図１のワイピングソケットから接続対象を離脱させる初動を説明するための上半分のみの断面図である。
【図３】本発明の第２の実施形態に係るワイピングソケットを接続対象と共に示した断面図である。
【図４ａ】図３のワイピングソケットに接続対象を挿入する初動を説明するための上半分のみの断面図である。
【図４ｂ】図３のワイピングソケットへの接続対象の挿入の進行を説明するための上半分のみの断面図である。
【図５】本発明の第３の実施形態に係るワイピングソケットを接続対象と共に示した断面図である。
【図６ａ】図５のワイピングソケットに接続対象を挿入する初動を説明するための上半分のみの断面図である。
【図６ｂ】図５のワイピングソケットへの接続対象の挿入の進行を説明するための上半分のみの断面図である。
【符号の説明】
【００４６】
１    コンタクト
１ａ  接点部
１ｂ  接点部
１ｃ  接点部
１ｄ  コンタクト端
２    第１のストッパー
３    第２のストッパー
４    スプリング
５    リード
５ａ  リードコンタクト
５ｂ  リード爪
６    ハウジング
６ａ  第１の壁面
６ｂ  第２の壁面
６ｃ  付加壁面
７    基板エッジ部
７ａ  エッジ部電極
８    スプリングプローブ
８ａ  プローブ端
【図１】
2009199859.tif 000003
【図２ａ】
2009199859.tif 000004
【図２ｂ】
2009199859.tif 000005
【図２ｃ】
2009199859.tif 000006
【図２ｄ】
2009199859.tif 000007
【図３】
2009199859.tif 000008
【図４ａ】
2009199859.tif 000009
【図４ｂ】
2009199859.tif 000010
【図５】
2009199859.tif 000011
【図６ａ】
2009199859.tif 000012
【図６ｂ】
2009199859.tif 000013